(57)【特許請求の範囲】
【請求項１】
透明部材からなる透明層を有し、
上記透明層の裏面に、不透明な着色層が形成され、その着色層の一部と、その着色層の一部と重なる上記透明層の一部とが、レーザ照射によって溶融除去されて、その部分の透明層が深さ１０〜３００μmの凹状に露出して凹状透かし模様が形成されており、
上記透明層の表面に、その表面側からみて、上記裏面側の凹状透かし模様を構成する少なくとも一部の透かし部分と略一致する形状の厚盛部が、上記透かし部分の輪郭線と上記厚盛部の輪郭線とが略重なるよう配置された状態で、透明インクによって形成されており、
上記透明部材の表面側の、上記厚盛部が形成された部分では、その厚盛部とその下の透明層を通して、上記裏面側の透かし部分の凹み面が視認され、同じく上記厚盛部が形成された部分以外の部分においては、上記透明層を通して、不透明な着色層が視認され、両者の見え方の違いによって、上記厚盛部が形成された部分においてあたかも透明な立体片が埋め込まれているかのように見えることを特徴とする加飾成形体。
【請求項２】
上記不透明な着色層がインクジェット印刷による着色インク層によって構成されている請求項１記載の加飾成形体。
【請求項３】
上記凹状透かし模様において、その少なくとも一部の、厚盛部と略重なる透かし部分が、浅い面状の溶融除去部と、その面状の溶融除去部より深い、輪郭線もしくは稜線となる線状の溶融除去部とで構成されている請求項１または２記載の加飾成形体。
【請求項４】
請求項１記載の加飾成形体を製造する方法であって、透明部材からなる透明層を有する成形体を準備する工程と、上記透明層の裏面に不透明な着色層を形成する工程と、上記着色層にレーザ照射を行うことにより、着色層の一部と、その着色層の一部と重なる上記透明層の一部とを溶融除去してその溶融除去跡から、その部分の透明層を深さ１０〜３００μmの凹状に露出させて凹状透かし模様を形成する工程と、上記透明層の表面に、その表面側からみて、上記凹状透かし模様を構成する少なくとも一部の透かし部分と略一致する形状で、上記透かし部分の輪郭線と上記厚盛部の輪郭線とが略重なるよう配置された厚盛部を、透明インクによって形成する工程とを備え、上記透明部材の表面側の、上記厚盛部が形成された部分では、その厚盛部とその下の透明層を通して、上記裏面側の透かし部分の凹み面が視認され、同じく上記厚盛部が形成された部分以外の部分においては、上記透明層を通して、不透明な着色層が視認され、両者の見え方の違いによって、上記厚盛部が形成された部分においてあたかも透明な立体片が埋め込まれているかのように見えるようにしたことを特徴とする加飾成形体の製法。
【請求項５】
上記不透明な着色層を形成する工程が、透明層の所定面に、インクジェット印刷によって着色インク層を形成する工程である請求項４記載の加飾成形体の製法。
【請求項６】
上記レーザ照射により透かし模様を形成する工程において、その透かし模様の少なくとも一部の、厚盛部と略重なる透かし部分を形成するための領域を面状に浅く溶融除去し、その透かし部分の輪郭線もしくは稜線となる部分を、上記面状の溶融除去部より深く線状に除去するようにした請求項４または５記載の加飾成形体の製法。
【発明の詳細な説明】
【技術分野】
【０００１】
本発明は、樹脂成形面に、あたかも透明な立体片が埋め込まれて模様の一部になっているかのように見える加飾成形体およびその製法に関するものである。
【０００２】
化粧料を収容したコンパクト容器や口紅容器等には、単に機能性だけでなく、見栄えがよい、商品イメージを反映したデザインである、といった意匠性も要求される。このため、容器表面に、奇抜なデザインの着色模様を付与したり、緻密な凹凸模様を付与したりして、アイキャッチ効果を高め、他社商品との差別化を図ることが重要な課題となっている。
【０００３】
ところで、最近、例えば図８に示すように、基材３１上に印刷された文字や模様３２の上に、紫外線（ＵＶ）硬化型透明インク３３を厚肉に盛り上げて硬化することにより、文字等３２を強調するようにしたもの（特許文献１）や、図９に示すように、基材３１上に離形剤３４を特定の印刷パターンで印刷し、離形剤３４が印刷されていない部分に樹脂インク３５を厚盛印刷することにより、厚盛印刷部分の輪郭を鮮明にして、そのレンズ効果を高めたもの（特許文献２）が提案されている。
【先行技術文献】
【特許文献】
【０００４】
【特許文献１】実開昭６２−１１６８７３号公報
【特許文献２】特開２００２−２０５４５２号公報
【発明の概要】
【発明が解決しようとする課題】
【０００５】
そこで、化粧料容器等の加飾成形体においても、表面に着色模様を付与し、その上に厚盛印刷を重ねることにより、着色模様を立体的に見せて、その印象を強調することが検討されているが、着色模様を構成する部分の材質によっては、厚盛印刷の透明樹脂と、その下の着色部分とが充分に接着一体化しない場合がある。このため、繰り返し手で触れたり他の容器と一緒にバッグに入れて携帯したりする化粧料容器に、上記厚盛印刷技術をそのまま適用して加飾を施すことには、問題があることが判明した。
【０００６】
本発明は、このような事情に鑑みなされたもので、樹脂成形面に、あたかも透明な立体片が埋め込まれて模様の一部になっているかのように見え、しかもその模様が耐久性に優れている加飾成形体およびその製法の提供を、その目的とする。
【課題を解決するための手段】
【０００７】
上記の目的を達成するため、本発明は、透明部材からなる透明層を有し、上記透明層の裏面に、不透明な着色層が形成され、その着色層の一部と、その着色層の一部と重なる上記透明層の一部とが、レーザ照射によって溶融除去されて、その部分の透明層が深さ１０〜３００μmの凹状に露出して凹状透かし模様が形成されており、上記透明層の表面に、その表面側からみて、上記裏面側の凹状透かし模様を構成する少なくとも一部の透かし部分と略一致する形状の厚盛部が、上記透かし部分の輪郭線と上記厚盛部の輪郭線とが略重なるよう配置された状態で、透明インクによって形成されており、上記透明部材の表面側の、上記厚盛部が形成された部分では、その厚盛部とその下の透明層を通して、上記裏面側の透かし部分の凹み面が視認され、同じく上記厚盛部が形成された部分以外の部分においては、上記透明層を通して、不透明な着色層が視認され、両者の見え方の違いによって、上記厚盛部が形成された部分においてあたかも透明な立体片が埋め込まれているかのように見える加飾成形体を第１の要旨とする。
【０００８】
また、本発明は、そのなかでも、特に、上記不透明な着色層がインクジェット印刷による着色インク層によって構成されている加飾成形体を第２の要旨とし、それらのなかでも、特に、上記凹状透かし模様において、その少なくとも一部の、厚盛部と略重なる透かし部分が、浅い面状の溶融除去部と、その面状の溶融除去部より深い、輪郭線もしくは稜線となる線状の溶融除去部とで構成されている加飾成形体を第３の要旨とする。
【０００９】
そして、本発明は、上記第１の要旨である加飾成形体を製造する方法であって、透明部材からなる透明層を有する成形体を準備する工程と、上記透明層の裏面に不透明な着色層を形成する工程と、上記着色層にレーザ照射を行うことにより、着色層の一部と、その着色層の一部と重なる上記透明層の一部とを溶融除去してその溶融除去跡から、その部分の透明層を深さ１０〜３００μmの凹状に露出させて凹状透かし模様を形成する工程と、上記透明層の表面に、その表面側からみて、上記凹状透かし模様を構成する少なくとも一部の透かし部分と略一致する形状で、上記透かし部分の輪郭線と上記厚盛部の輪郭線とが略重なるよう配置された厚盛部を、透明インクによって形成する工程とを備え、上記透明部材の表面側の、上記厚盛部が形成された部分では、その厚盛部とその下の透明層を通して、上記裏面側の透かし部分の凹み面が視認され、同じく上記厚盛部が形成された部分以外の部分においては、上記透明層を通して、不透明な着色層が視認され、両者の見え方の違いによって、上記厚盛部が形成された部分においてあたかも透明な立体片が埋め込まれているかのように見えるようにした加飾成形体の製法を第４の要旨とする。
【００１０】
また、本発明は、そのなかでも、特に、上記不透明な着色層を形成する工程が、透明層の所定面に、インクジェット印刷によって着色インク層を形成する工程である加飾成形体の製法を第５の要旨とし、それらのなかでも、特に、上記レーザ照射により透かし模様を形成する工程において、その透かし模様の少なくとも一部の、厚盛部と略重なる透かし部分を形成するための領域を面状に浅く溶融除去し、その透かし部分の輪郭線もしくは稜線となる部分を、上記面状の溶融除去部より深く線状に除去するようにした加飾成形体の製法を第６の要旨とする。
【発明の効果】
【００１１】
本発明は、透明層の裏面に、不透明な着色層を形成し、さらにその着色層にレーザ照射を行い、部分的に着色層を除去するだけでなく、着色層が形成された、透明層の裏面も特定の深さの凹状に除去して、凹状透かし模様を形成したものである。そして、透明層の表面に、その表面から透明層を通して見える裏面側の凹状透かし模様の透かし部分と略一致する形状で、上記透かし部分の輪郭線と上記厚盛部の輪郭線とが略重なる形状の、透明インクによる厚盛部を形成している。したがって、この構成によれば、透明層の厚み分だけ離れた裏面側にある凹状透かし模様の透かし部分に対し、その透かし部分の形状と略重なる厚盛部が表面側に形成されており、この厚盛部のレンズ効果によって、透明層の裏面側にある透かし部分の凹み面が、表面側の厚盛部において盛り上がっているかのように見えるようになっている。そして、上記透明部材の表面側の、上記厚盛部が形成された部分では、その厚盛部とその下の透明層を通して、上記裏面側の透かし部分の凹み面が視認され、同じく上記厚盛部が形成された部分以外の部分においては、上記透明層を通して、不透明な着色層が視認され、両者の見え方の違いによって、上記厚盛部が形成された部分に、あたかも透明な立体片を埋め込んで細工したかのような、不思議な印象を与えるものとなる。
【００１２】
しかも、上記厚盛部は、直接不透明な着色層と接しておらず、透明層の樹脂面と接しているため、着色層の材料との接着性に左右されることなく、透明層の樹脂面と強固に接着一体化する。したがって、透明層の表面から厚盛部が部分的に剥がれたり脱落したりすることがなく、長期にわたって、その美麗な外観が維持されるという利点を有する。
【００１３】
そして、本発明の加飾成形体のなかでも、特に、上記不透明な着色層がインクジェット印刷による着色インク層によって構成されているものは、凹状透かし模様を付与する際の「地」の部分が、着色インク層によって構成されるため、微細な模様やグラデーションのある模様等、様々な色合いやデザインの図柄が鮮明に形成され、非常に美麗な外観となる、という利点を有する。
【００１４】
また、本発明の加飾成形体のなかでも、特に、上記凹状透かし模様において、その少なくとも一部の透かし部分が、浅い面状の溶融除去部と、その面状の溶融除去部より深い、輪郭線もしくは稜線となる線状の溶融除去部とで構成されているものは、凹状透かし模様の透かし部分に、輪郭線や稜線が加えられることによって、その部分の立体感が強調されるため、厚盛部におけるレンズ効果と相俟って、その厚盛部と重なって見える透かし部分が、例えば結晶のような、より美麗な立体片を埋め込んでいるかのように見えて、一層強い印象を与えるものとなる。
【００１５】
そして、本発明の加飾成形体の製法によれば、上記加飾成形体を、効率よく製造することができる。
【００１６】
特に、本発明の製法では、凹状透かし模様の形成を、レーザ照射によって行うため、その少なくとも一部の透かし部分と略重なる形状の厚盛部を形成する際、上記レーザ照射時の加工データを、厚盛印刷の加工データに利用することができる。したがって、透かし部分に対し、殆どずれを生じることなく、これと重なる配置で厚盛部を形成することができるため、厚盛部によるレンズ効果によって透かし部分を立体的に見せる効果が、互いのずれによって曖昧になるようなことがなく、その部分を鮮明に見せることができ、強い印象を与えることができる。
【図面の簡単な説明】
【００１７】
【図１】本発明の一実施の形態を示す斜視図である。
【図２】図１のＸ−Ｘ′断面図である。
【図３】上記実施の形態における蓋体の分解斜視図である。
【図４】（ａ）は上記蓋体に用いられる蓋板の製造方法の説明図、（ｂ）はその蓋板の平面図である。
【図５】（ａ）は上記蓋板の製造方法の説明図、（ｂ）はその蓋板の平面図である。
【図６】（ａ）は上記蓋板の製造方法の説明図、（ｂ）はその蓋板の平面図である。
【図７】（ａ）、（ｂ）はともに上記蓋板の製造方法の変形例の説明図、（ｃ）、（ｄ）はともに上記製造方法の変形例によって得られる凹状透かし模様の説明図である。
【図８】従来技術の一例を示す説明図である。
【図９】従来技術の他の例を示す説明図である。
【発明を実施するための形態】
【００１８】
つぎに、本発明を実施するための形態について説明する。ただし、本発明は、以下の実施の形態に限定されるものではない。
【００１９】
図１は、本発明の一実施の形態であるコンパクト容器の斜視図であり、図２は、そのＸ−Ｘ′断面図である。すなわち、このコンパクト容器は、本体部１の内側の、向かって左側に設けられた凹部２に、ファンデーション等の化粧料が収容保持され、向かって右側に設けられた凹部３に、化粧料を肌に塗布するためのパフが収容保持されるようになっている。
【００２０】
そして、上記本体部１の後端部には、本体部１の上部開口を蓋する蓋体４が、本体部１とのヒンジ連結（図示せず）によって回動自在に取り付けられており、図１において鎖線で示すように、上方に開くようになっている。なお、蓋体４の内側面には、鏡５が貼着されている。
【００２１】
上記蓋体４は、その分解斜視図である図３に示すように、後端部にヒンジ部６ａが突設された蓋枠体６と、その上面に嵌合一体化される蓋板８と、その間に挟み込まれる金属光沢シート７とで構成されている。そして、上記蓋板８は、透明アクリル樹脂成形体からなる透明層８ａをベースとし、その裏面に、不透明な着色層８ｂが形成されている。上記着色層８ｂは部分的に除去され、さらに、その除去部分における透明層８ａの裏面が凹状に除去されて、比較的小さい５個の六角形と３個の十字形が散らばった凹状透かし模様Ｐが形成されている。なお、図１および図３において、透明層８ａの表面側から透けて見える、不透明な着色層８ｂが形成されている部分を、粗い斜線で示す。
【００２２】
そして、透明層８ａの表面側において、透けて見える上記凹状透かし模様Ｐのうち、一部の透かし部分［この例では、比較的小さい２個の六角形と３個の十字形、図６（ｂ）において細かい斜線を付した部分を参照］に重なるように、その上に透明インクからなる厚盛部９が設けられている。
【００２３】
この蓋体４を、上から見たり斜めから見たりすると、上記厚盛部９が形成された部分において、その下に重なる、透明層８ａを隔てた裏面側の凹状透かし模様Ｐの透かし部分が、厚盛部９のレンズ効果によって、透明層８ａの表面側に突出しているかのように見え、しかもその透かし部分と厚盛部９の輪郭部分が互いに重なって一致しているため、そこで仕切りがあるかのような陰影が生じて、この部分に、あたかも六角形や十字形に切り取った透明なガラス片を埋め込んだかのように見える。したがって、非常に意匠を凝らした細工物のような印象となり、アイキャッチ効果が高いものになる。
【００２４】
しかも、この表面側から見える模様は、厚盛部９を除けば、透明層８ａを通して見える、裏面側に形成された凹状透かし模様Ｐと着色層８ｂによるものであり、その模様が剥げたり欠けたりすることがない。また、上記厚盛部９も、直接着色層８ｂに重ねたものではなく、透明層８ａの樹脂面に強固に接着した状態で形成されているため、この厚盛部９が脱落することもない。したがって、上記の、印象的な表面模様は、長期にわたって耐久性を有し、携帯品として持ち歩いても、その外観が損なわれることがない。
【００２５】
上記蓋体４に用いられる蓋板８は、例えばつぎのようにして得ることができる。すなわち、まず、蓋板８となる透明層８ａを賦形するための金型を用意し、透明層８ａの形成材料である透明アクリル樹脂材料を射出成形することにより、図４（ａ）に示すように、所定形状が付与された透明層８ａを得ることができる。そして、上記透明層８ａの裏面に、インクジェット印刷によって、所望の図柄を有する不透明な着色層８ｂを形成する。この着色層８ｂを、透明層８ａを透かして表面側から見ると、図４（ｂ）に示すように、地色となる白色の部分（図において横縞模様で示す）に、赤〜黄色のグラデーションのついた色調の、大きさの異なる六角形模様（図において縦縞模様で示す）が、ランダムに配置された模様になっている。
【００２６】
つぎに、図５（ａ）に示すように、この着色層８ｂのうち、凹状透かし模様Ｐをつくろうとする部分［この例では、比較的小さい六角形が５個、星のきらめきのような十字形が３個、ランダムに散らばった模様となる部分、図５（ｂ）を参照］に、ＣＯ２レーザを照射し、この部分の着色層８ｂを除去加工し、さらにその下（図では上）の透明層８ａの裏面部分も凹状に除去加工することにより、所望の凹状透かし模様Ｐを形成する。この凹状透かし模様Ｐが形成された状態を、透明層８ａを透かして表面側から見ると、図５（ｂ）に示すようになる。このとき、上記凹状透かし模様Ｐの透けた部分は、ＣＯ２レーザの照射跡によって、やや荒れてざらついた粗面となる。
【００２７】
つぎに、図６（ａ）に示すように、上記透明層８ａの、凹状透かし模様Ｐが形成された面と反対側、すなわち表面側の、上記凹状透かし模様Ｐに対峙する部分のうち、特定の透かし部分（この例では、比較的小さい２個の六角形と、３個の十字形）に対して、その透かし部分の略全面に重なる形状の厚盛部９を、透明インクを用いた厚盛印刷によって形成する。この厚盛部９が形成された部分（図において細かい斜線で示す）を上から見た状態を図６（ｂ）に示す。
【００２８】
このようにして、透明層８ａの裏面側に着色層８ｂと凹状透かし模様Ｐとが形成され、表面側に厚盛部９が形成された蓋板８を得ることができる。そして、この蓋板８を、上面に金属光沢シート７が載置された蓋枠体６上に重ねて嵌合することにより、図１に示すコンパクト容器の蓋体４を得ることができる。
【００２９】
上記製法によれば、凹状透かし模様Ｐの形成を、レーザ照射によって行うため、その少なくとも一部の透かし部分と略重なる形状の厚盛部９を形成する際、上記レーザ照射時の加工データを、厚盛印刷の加工データに利用することができる。したがって、透かし部分に対し、殆どずれを生じることなく、これに重なる配置で厚盛部９を形成することができるため、厚盛部９によるレンズ効果によって透かし部分を立体的に見せる効果が、互いのずれによって曖昧にならず、その部分をくっきりした立体片のように見せることができ、強い印象を与えることができる。
【００３０】
なお、上記の例では、厚盛部９が完全に、その下の透かし部分の輪郭を覆うように、やや大きめに厚盛部９を形成しているが、必ずしも厚盛部９を透かし部分より大きめに設定する必要はなく、視覚的な効果の上では、できるだけ両者の輪郭線が重なるようにすることが好ましい。
【００３１】
また、上記の例において、蓋板８の透明層８ａを構成する透明部材は、従来から容器等の成形品に用いられる透明部材であれば、どのようなものであってもよく、アクリル樹脂の他、例えばポリエチレンテレフタレート（ＰＥＴ）、アクリロニトリル−ブタジエン−スチレン（ＡＢＳ）樹脂、アクリロニトリル−スチレン（ＡＳ）樹脂、ポリカーボネート（ＰＣ）、ポリスチレン（ＰＳ）等があげられる。なかでも、硬さと透明性の点で、アクリル樹脂、ＰＥＴ樹脂が好適である。そして、上記透明層８ａは、厚盛部９が形成された面と反対側の面に形成された着色層８ｂと凹状透かし模様Ｐとを、その反対側から透かして見せるために透明でなければならないが、必ずしも無色である必要はなく、多少着色されていても、反対側が透けて見えていれば問題ない。以下に述べる「透明」も、特に断らない限り、着色の有無を問わず、その反対側が透けて見える程度に透明であればよい。
【００３２】
そして、上記透明層８ａの厚みは、この加飾成形体の用途や要求される強度等に応じて、適宜に設定されるが、例えば、上記の例のように、コンパクト容器の蓋体４に用いる場合、０．５〜５ｍｍに設定することが好適である。すなわち、上記透明層８ａの厚みが厚すぎると、加飾成形体全体が嵩張って好ましくないとともに、透明層８ａの裏面側に設けられる着色層８ｂおよび凹状透かし模様Ｐと、表面側の厚盛部９との距離が大きくなりすぎて、厚盛部９のレンズ効果による凹状透かし模様Ｐの立体的な浮き上がり方が弱くなり、透明な立体片を埋め込んだかのような印象が弱くなるおそれがあるからである。また、透明層８ａの厚みが薄すぎると、この透明層８ａに形成する凹状透かし模様Ｐの凹部の深さが浅くならざるを得ず、やはり見え方の印象が弱くなるおそれがあり、好ましくない。
【００３３】
一方、上記透明層８ａの裏面に形成される不透明な着色層８ｂは、上記の例では、インクジェット印刷による着色インク層であるが、これに限るものではなく、予め色や色模様が付与された着色層が形成された転写シートを転写して得られるものや、蒸着、スパッタリング、メッキ、ホットスタンプ、コーティング、貼付等によって得られる各種の着色層を用いることができる。ただし、上記の例のように、着色層８ｂを、インクジェット印刷によって形成すると、目的とするデザインに応じた色（単色）や色模様を、簡単な設定で迅速に形成することができ、好適である。
【００３４】
そして、上記着色層８ｂは、透明層８ａとの対比から、不透明な着色層でなければならない。なお、「不透明」とは、上記着色層８ｂに凹状透かし模様Ｐを形成したとき、その透かし部分をそれ以外の部分から区別して認識できる程度に透明でないことをいい、必ずしも完全に不透明である必要はない。
【００３５】
上記着色層８ｂの厚みは、その材質や全体の大きさにもよるが、例えば、上記の例のように、コンパクトタイプの化粧料容器の蓋体４に用いる場合、０．０４〜５０μｍに設定することが好適である。すなわち、上記着色層８ｂの厚みが薄すぎると、層を均一に形成することが容易でなく、逆に厚すぎると、加飾成形体全体が嵩高くなるとともに、この着色層８ｂに、レーザ照射して凹状透かし模様Ｐを形成する際、加工に時間を要し、好ましくない。
【００３６】
また、上記着色層８ｂに凹状透かし模様Ｐを形成する方法としては、上記の例のように、凹状透かし模様Ｐを得ようとする部分にＣＯ２レーザを照射して、その部分の着色層８ｂと透明層８ａの裏面を部分的に除去することが好適であるが、ＣＯ２レーザ以外に、ＹＡＧレーザ、ＹＶＯ４レーザ等を用いることもできる。ＹＡＧレーザ、ＹＶＯ４レーザを用いた場合、溶融除去した樹脂面が、荒れた粗面にはならないため、上記の例のようにＣＯ２レーザを用いた場合とやや見た印象が異なるものとなる。
【００３７】
なお、上記レーザ照射による凹状透かし模様Ｐの凹部の深さは、着色層８ｂおよび透明層８ａの厚みや加飾成形体全体の大きさにもよるが、本発明では、透明層８ａに対する深さ（図５（ａ）においてＤで示す）は、１０〜３００μｍとなるよう設定することが必要である。すなわち、上記範囲よりも凹部が浅すぎると、厚盛部９を通して見ても、その印象が弱くなるおそれがあり、逆に、凹部が深すぎても、厚盛部９によるレンズ効果とのバランスがとれず、その部分が立体片を埋め込んだようには見えにくくなるおそれがあるからである。
【００３８】
また、上記凹状透かし模様Ｐを形成する際、例えば図７（ａ）に示すように、レーザ照射によって、目的とする模様形状の部分（この例では、十字形や六角形）全体の領域を、面状に浅く溶融除去するとともに、図７（ｂ）に示すように、その透かし部分の輪郭線もしくは稜線となる部分を、面状に浅く溶融除去する部分よりも深く、線状に溶融除去するようにすると、厚盛部９を通して見える部分が、よりシャープな陰影を有するものとなり、好適である。ちなみに、凹状透かし模様Ｐのうち、十字形の透かし部分に輪郭線や稜線を入れると、図７（ａ）に示すように、この部分が、カットグラスのような輝きとなり、厚盛部９を通して見える部分が、カットグラスを埋め込んでいるかのように見える。また、六角形の透かし部分に輪郭線や稜線を入れると、図７（ｂ）に示すように、この部分が水晶の結晶のように見え、厚盛部９を通して見える部分が、水晶の結晶を埋め込んでいるかのように見える。なお、上記透かし模様Ｐを面状に浅く溶融除去する加工と、その輪郭線や稜線となる部分を線状に深く溶融除去する加工とは、レーザの出力を調整しながら一回の加工動作で行うことができるが、それぞれの加工を別々に行っても差し支えない。
【００３９】
そして、上記着色層８ｂおよび凹状透かし模様Ｐの反対側の面、すなわち透明層８ａの表面側に形成される厚盛部９は、厚盛用の透明インクを、スクリーン印刷等によって厚盛印刷することによって得ることができる。上記透明インクとしては、例えば、アクリレート系、メタクリレート系、不飽和ポリエステル系等のＵＶ硬化型透明インク、アクリレート系、エポキシ系、シリコーン系等の熱硬化型透明インク等があげられる。とりわけ、ＵＶ硬化型透明インクを用いると、簡単かつ効率よく厚盛部９を得ることができ、好適である。
【００４０】
上記厚盛部９の厚み（図２においてＨで示す）も、透明層８ａの厚みや加飾成形体全体の大きさによって適宜に設定されるが、上記コンパクトタイプの化粧料容器の蓋体４として用いる場合、その厚みは、７０〜２００μｍに設定することが好適である。すなわち、上記厚みＨが厚すぎると、凹状透かし模様Ｐの部分が突出しすぎて見栄えが悪くなったり、突出先端に傷がついて美麗な外観が損なわれたりするおそれがあり、逆に、上記厚みＨが薄すぎると、厚盛部９によるレンズ効果が不充分となり凹状透かし模様Ｐの凹部を立体片のように浮き立たせて見せる効果が乏しくなって、印象が弱くなるおそれがあるからである。
【００４１】
また、上記の例では、蓋板８と蓋枠体６とを組み合わせた構成において、金属光沢シート７を挟み込むようにしているが、蓋板８の裏面側の構成は、特に限定されない。例えば、上記金属光沢シート７に代えて、所望の色に着色したものや、マーブル調、幾何模様等の図柄が印刷されたシートを挟み込むようにしてもよいし、転写シートを用い、転写層を、蓋板８の裏面、すなわち着色層８ｂの裏面に直接形成してもよい。あるいは、上記転写層を、蓋枠体６の上面に形成してもよい。もちろん、このようなシートや転写層を必ずしも設ける必要はなく、上記蓋枠体６の上面部を、そのまま蓋板８に重ねてもよい。あるいは、蓋体４が単体で構成されたコンパクト容器において、その蓋体４そのものが、上記の例における蓋板８と同様の構成を有するものであっても差し支えない。
【００４２】
なお、これらの例は、本発明をコンパクト容器に適用したものであるが、本発明を適用する成形体は、容器に限らず、各種の樹脂成形体、あるいは樹脂成形体に他の部材を組み合わせた成形体等、特に限定するものではない。例えば、携帯電話、文房具、家電製品、各種ケース等に広く適用することができる。
【産業上の利用可能性】
【００４３】
本発明は、あたかも透明な立体片を埋め込んだかのような興趣に富む外観を備え、しかもその模様が耐久性に優れ、長期にわたってその外観を維持することのできる加飾成形体およびその製法に利用することができる。
【符号の説明】
【００４４】
４  蓋体
８  蓋板
８ａ  透明層
８ｂ  着色層
９  厚盛部
Ｐ  凹状透かし模様
【図１】
0006748403.tif 000002
【図２】
0006748403.tif 000003
【図３】
0006748403.tif 000004
【図４】
0006748403.tif 000005
【図５】
0006748403.tif 000006
【図６】
0006748403.tif 000007
【図７】
0006748403.tif 000008
【図８】
0006748403.tif 000009
【図９】
0006748403.tif 000010